(57)【要約】【課題】ろ過エレメントに捕捉された放射性ダストを、機械的に分離し、浮遊させたのち集塵してろ過エレメントを除染する放射性ダストの除染装置を提供する。【解決手段】汚染されたろ過エレメントＥを収容する除染室１と、ろ過エレメントＥを除染室１に出入れする搬送装置４を備えている。除染室１の内部に、ろ過エレメントＥに捕捉された放射性ダストを分離し浮遊させる分離装置５を設ける。除染室１内に浮遊する放射性ダストを集塵装置６で集塵してろ過する。分離装置５は、ろ過エレメントＥを叩打する打撃体２０と、加圧空気をろ過エレメントへ向かって噴出するエアノズル２１を含んで構成する。ろ過エレメントＥを打撃体２０で叩打して、放射性ダストをろ過エレメントＥから分離し、分離した放射性ダストをエアノズル２１で浮遊させて集塵装置６で回収する。【選択図】図１
2013171016.tif 000002
【特許請求の範囲】
【請求項１】
放射性ダストが捕捉された状態のろ過エレメント（Ｅ）を収容する除染室（１）と、ろ過エレメント（Ｅ）を搬送する搬送装置（４）と、
除染室（１）の内部に配置されて、ろ過エレメント（Ｅ）に捕捉された放射性ダストを分離し浮遊させる分離装置（５）と、
除染室（１）内に浮遊する放射性ダストを集塵しろ過する集塵装置（６）とを備えており、
分離装置（５）が、ろ過エレメント（Ｅ）を叩打する打撃体（２０）と、加圧空気をろ過エレメント（Ｅ）へ向かって噴出するエアノズル（２１）を含んで構成されており、
ろ過エレメント（Ｅ）を打撃体（２０）で叩打して、放射性ダストをろ過エレメント（Ｅ）から分離し、分離した放射性ダストをエアノズル（２１）で浮遊させて集塵装置（６）で回収することを特徴とする放射性ダストの除染装置。
【請求項２】
打撃体（２０）が、加圧空気を送給する送給通路（２３）に接続されて、加圧空気を噴出する弾性変形可能な軟質のエアチューブ（２５）からなり、
エアチューブ（２５）はエアノズル（２１）を兼ねていて、その先端から加圧空気を噴出供給でき、
加圧空気を噴出するときの噴出反力によって、ランダムに暴れ動くエアチューブ（２５）の叩打作用と、エアチューブ（２５）から噴出される加圧空気による飛散作用とで、放射性物質をろ過エレメント（Ｅ）から分離し浮遊させる請求項１に記載の放射性ダストの除染装置。
【請求項３】
打撃体（２０）を構成する送給通路（２３）の先端に複数の分岐パイプ（２４）が配置されており、
各分岐パイプ（２４）に複数のエアチューブ（２５）が設けてある請求項２に記載の放射性ダストの除染装置。
【請求項４】
エアチューブ（２５）が、弾性変形可能な軟質のチューブ本体（２６）と、チューブ本体（２６）の先端に固定した叩打体（２７）とで構成してある請求項２または３に記載の放射性ダストの除染装置。
【請求項５】
放射性物質または放射性ダストを吸着する吸着材を、除染室（１）の内部へ供給する吸着材供給装置（７）が設けられており、
除染室（１）内で放射性物質を吸着した吸着材と、ろ過エレメント（Ｅ）から分離された放射性ダストを集塵装置（６）で回収してろ過エレメント（Ｅ）の除染を行う請求項１から４のいずれかひとつに記載の放射性ダストの除染装置。
【請求項６】
除染室（１）の入口（２）および出口（３）のそれぞれに、ろ過エレメント（Ｅ）から分離した放射性ダストの飛散を防ぐ遮蔽カーテン（９）が配置されており、
除染室（１）の内部を、集塵装置（６）を構成するブロワー（３２）の吸引作用で常に負圧状態に保持した状態でろ過エレメント（Ｅ）の除染を行う請求項１から５のいずれかひとつに記載の放射性ダストの除染装置。
【請求項７】
放射性ダストが付着しているろ過エレメント（Ｅ）を除染室（１）内へ搬送する搬送工程と、
除染室（１）の内部に配置した分離装置（５）で、ろ過エレメント（Ｅ）に捕捉された放射性ダストを分離し浮遊させる分離工程と、
除染室（１）内に浮遊する放射性ダストを集塵装置（６）で集塵しろ過する集塵工程とを含み、
分離装置（５）は、ろ過エレメント（Ｅ）を叩打する打撃体（２０）と、加圧空気をろ過エレメントへ向かって噴出するエアノズル（２１）を備えており、
分離工程において、ろ過エレメント（Ｅ）を打撃体（２０）で叩打して放射性ダストをろ過エレメント（Ｅ）から分離し、分離した放射性ダストをエアノズル（２１）から噴出される加圧空気の噴出作用で浮遊させることを特徴とする放射性ダストの除染方法。
【請求項８】
打撃体（２０）が、加圧空気を送給する送給通路（２３）と、エアノズル（２１）を兼ねて送給通路（２３）に接続される弾性変形可能な軟質のエアチューブ（２５）とを含み、
分離工程において、エアチューブ（２５）が加圧空気を噴出するときの噴出反力によってランダムに暴れ動くときの叩打作用と、エアチューブ（２５）から噴出される加圧空気の噴出作用で、放射性物質をろ過エレメント（Ｅ）から分離し浮遊させる請求項７に記載の放射性ダストの除染方法。
【請求項９】
エアチューブ（２５）が弾性変形可能な軟質のチューブ本体（２６）と、チューブ本体（２６）の先端に固定した叩打体（２７）とで構成されており、
分離工程において、チューブ本体（２６）および叩打体（２７）でろ過エレメント（Ｅ）を叩打して放射性ダストを分離する請求項８に記載の放射性ダストの除染方法。
【請求項１０】
分離工程において、吸着材供給装置（７）で吸着材を除染室（１）の内部へ供給し、除染室（１）の内部に浮遊する放射性ダストおよび吸着材を、エアチューブ（２５）から噴出される加圧空気の噴出作用で撹拌して、放射性物質を吸着材に吸着させ、
集塵工程において、放射性ダストおよび吸着材を集塵装置（６）で回収してろ過エレメント（Ｅ）の除染を行う請求項８または９に記載の放射性ダストの除染方法。
【請求項１１】
除染室（１）の内部を、集塵装置（６）を構成するブロワー（３２）の吸引作用で常に負圧状態に保持した状態でろ過エレメント（Ｅ）の除染を行う請求項７から１０のいずれかひとつに記載の放射性ダストの除染方法。
【発明の詳細な説明】
【技術分野】
【０００１】
本発明は、例えば、放射性物質で汚染された空調機のエアフィルターから、放射性物質が付着している放射性ダストを分離して浄化するための、放射性ダストの除染装置とその方法に関する。除染対象としては、空調機のエアフィルター以外に、放射性物質を吸着した吸着材を液中でこし取ったのち乾燥させたろ過材、あるいは放射性物質と化学結合した結合材を液中でこし取ったのち乾燥させたろ過材などがある。
【背景技術】
【０００２】
発電所の事故等に伴って放射性物質が自然界に放出された場合には、発電所の周辺地域の環境が広範囲にわたって汚染される。汚染された地域のビル、工場、病院などでは、外気を取込む空調機のエアフィルターが放射性物質で汚染されてしまう。そのため、汚染されたエアフィルターの取扱い、および処分の仕方に細心の注意が必要となる。また、汚染されたエアフィルターを一個所に集積すると膨大な量となるため、汚染されたエアフィルターを減容化して、最終処分すべき放射性汚染物質の量を減らす必要がある。
【０００３】
上記のような放射性汚染物質の減容化に関して、放射性汚染物の表面を熱分解可能なブラスト材で浄化し、あるいは、放射性汚染物質を水洗いして吸着材に吸着ないしは化学結合させて、除染の対象となる汚染物を減容化することが従来から行われている。例えば、特許文献１においては、放射性物質で汚染された原子力設備の金属部品、あるいはセラミックス製の部品の表面に、硬質プラスチック粒子（ブラスト材）を加圧空気と共に吹付けて、部品の表面を浄化している（以下、この種の除染法を単にブラスト除染法と言う。）。この除染法によれば、浄化後の硬質プラスチック粒子を回収したのち、加熱分解することにより最終的な除染の対象となる汚染物を減容化できる。
【０００４】
ブラスト除染法は特許文献２にも開示されており、そこでは、ドライアイス粒子（ブラスト材）を加圧空気でコンクリート床面に吹付けて床表面を剥離し、剥離物質とドライアイス粒子を回収して、除染対象を剥離物質のみに限定して減容化を実現している。また、特許文献３においては、放射性廃液を収容するタンク内に粉末状の活性炭を投入して撹拌し、放射性廃液に含まれる放射性物質を活性炭に吸着させている。さらに、吸着後の活性炭と廃液とをろ過して活性炭を乾燥し、さらに活性炭を焼却炉で焼却して最終処分すべき放射性汚染物を減容化している。
【０００５】
本発明においては、加圧空気を噴出する弾性変形可能なエアチューブを打撃体にしてろ過エレメントを叩打するが、この種の打撃体は特許文献４に公知である。そこでは、エア供給パイプの先端に空気噴射ノズルを固定し、空気噴射ノズルに軟質材で形成した複数のエアパイプを固定している。この空気噴射具は、空調ダクトの内部に堆積した塵埃を除去する際に使用されており、エアパイプから噴出される加圧空気の吹飛ばし作用と、加圧空気の噴出反力でエアパイプが暴れまわるときの叩打作用とで塵埃をダクト内面から分離する。
【先行技術文献】
【特許文献】
【０００６】
【特許文献１】特開２００７−３０９８３１号公報（段落番号０００６、図１）
【特許文献２】特開２００２−１９６０９７号公報（段落番号０００６、図１）
【特許文献３】特開平０９−２３００９４号公報（段落番号００３２、図１）
【特許文献４】実開平０６−０５２９８１号公報（段落番号０００６、図２）
【発明の概要】
【発明が解決しようとする課題】
【０００７】
特許文献１、２のブラスト除染法によれば、金属表面や、コンクリート床面に付着している放射性物質を、加圧空気と共に吹付けられるブラスト材で浄化でき、最終処分の対象となる放射性汚染物を減容化することができる。しかし、ブラスト除染法は、除染対象が金属あるいはコンクリート床面などの硬い物である場合に有効ではあるが、空調機のエアフィルターのように除染対象が軟らかい物である場合に、エアフィルターが砕片化されるだけで放射性物質を除去するのには適さない。
【０００８】
特許文献３の放射性廃液の処理方法によれば、放射性物質を粉末状の活性炭に吸着させて放射性廃液を浄化できる。また、吸着後の活性炭と廃液とをろ過して活性炭を乾燥し、さらに焼却炉で焼却して最終処分の対象となる放射性汚染物を減容化できる。しかし、活性炭をろ過する過程で、粉末状の活性炭がろ過材に捕捉されるのを避けられないため、別途ろ過材の除染を行う必要がある。
【０００９】
本発明の目的は、エアフィルターあるいはろ過材などのろ過エレメントに付着している放射性物質を分離でき、さらに、最終処分の対象となる放射性汚染物を減容化できる放射性ダストの除染装置とその方法を提供することにある。
【課題を解決するための手段】
【００１０】
本発明に係る放射性ダストの除染装置は、放射性ダストが捕捉された状態のろ過エレメントＥを収容する除染室１と、ろ過エレメントＥを搬送する搬送装置４を備えている。除染装置は、さらに、除染室１の内部に配置されて、ろ過エレメントＥに捕捉された放射性ダストを分離し浮遊させる分離装置５と、除染室１内に浮遊する放射性ダストを集塵しろ過する集塵装置６とを備えている。分離装置５は、ろ過エレメントＥを叩打する打撃体２０と、加圧空気をろ過エレメントＥへ向かって噴出するエアノズル２１を含んで構成する。ろ過エレメントＥを打撃体２０で叩打して、放射性ダストをろ過エレメントＥから分離し、分離した放射性ダストをエアノズル２１で浮遊させて集塵装置６で回収することを特徴とする。
【００１１】
打撃体２０は、加圧空気を送給する送給通路２３に接続されて、加圧空気を噴出する弾性変形可能な軟質のエアチューブ２５からなる。エアチューブ２５はエアノズル２１を兼ねていて、その先端から加圧空気を噴出供給できる。加圧空気を噴出するときの噴出反力によって、ランダムに暴れ動くエアチューブ２５の叩打作用と、エアチューブ２５から噴出される加圧空気による飛散作用とで、放射性物質をろ過エレメントＥから分離し浮遊させる。
【００１２】
図３に示すように、打撃体２０を構成する送給通路２３の先端に複数の分岐パイプ２４を配置する。各分岐パイプ２４に複数のエアチューブ２５を設ける。
【００１３】
図２に示すように、エアチューブ２５は、弾性変形可能な軟質のチューブ本体２６と、チューブ本体２６の先端に固定した叩打体２７とで構成する。
【００１４】
放射性物質または放射性ダストを吸着する吸着材を、除染室１の内部へ供給する吸着材供給装置７を設ける。除染室１内で放射性物質を吸着した吸着材と、ろ過エレメントＥから分離された放射性ダストを集塵装置６で回収してろ過エレメントＥの除染を行う。
【００１５】
除染室１の入口２および出口３のそれぞれに、ろ過エレメントＥから分離した放射性ダストの飛散を防ぐ遮蔽カーテン９を配置する。除染室１の内部を、集塵装置６を構成するブロワー３２の吸引作用で常に負圧状態に保持した状態でろ過エレメントＥの除染を行う。
【００１６】
本発明に係る放射性ダストの除染方法においては、放射性ダストが付着しているろ過エレメントＥを除染室１内へ搬送する搬送工程と、除染室１の内部に配置した分離装置５で、ろ過エレメントＥに捕捉された放射性ダストを分離し浮遊させる分離工程と、除染室１内に浮遊する放射性ダストを集塵装置６で集塵しろ過する集塵工程とを含む。分離装置５は、ろ過エレメントＥを叩打する打撃体２０と、加圧空気をろ過エレメントへ向かって噴出するエアノズル２１を備えている。分離工程において、ろ過エレメントＥを打撃体２０で叩打して放射性ダストをろ過エレメントＥから分離し、分離した放射性ダストをエアノズル２１から噴出される加圧空気の噴出作用で浮遊させることを特徴とする。
【００１７】
打撃体２０は、加圧空気を送給する送給通路２３と、エアノズル２１を兼ねて送給通路２３に接続される弾性変形可能な軟質のエアチューブ２５とを含む。分離工程において、エアチューブ２５が加圧空気を噴出するときの噴出反力によってランダムに暴れ動くときの叩打作用と、エアチューブ２５から噴出される加圧空気の噴出作用で、放射性物質をろ過エレメントＥから分離し浮遊させる。
【００１８】
エアチューブ２５は弾性変形可能な軟質のチューブ本体２６と、チューブ本体２６の先端に固定した叩打体２７とで構成する。分離工程において、チューブ本体２６および叩打体２７でろ過エレメントＥを叩打して放射性ダストを分離する。
【００１９】
分離工程において、吸着材供給装置７で吸着材を除染室１の内部へ供給し、除染室１の内部に浮遊する放射性ダストおよび吸着材を、エアチューブ２５から噴出される加圧空気の噴出作用で撹拌して、放射性物質を吸着材に吸着させる。集塵工程において、放射性ダストおよび吸着材を集塵装置６で回収してろ過エレメントＥの除染を行う。
【００２０】
除染室１の内部を、集塵装置６を構成するブロワー３２の吸引作用で常に負圧状態に保持した状態でろ過エレメントＥの除染を行う。
【発明の効果】
【００２１】
本発明においては、打撃体２０で叩打して放射性ダストをろ過エレメントＥから分離し、エアノズル２１で浮遊させたのち集塵装置６で回収することにより、ろ過エレメントＥを除染し浄化できるようにした。このように、ろ過エレメントＥを除染すると、最終処分の対象となる放射性汚染物を放射性ダストのみに限ることができるので、放射性ダストが捕捉されたろ過エレメントＥをいきなり最終処分する場合に比べて、処分対象を著しく減容化できる。また、除染されたろ過エレメントＥは浄化されているので、以後の取扱いを容易に行なうことができ、例えば、廃棄処分し、あるいは焼却処分するなど、２次汚染を生じることもなく最終処理を行なうことができる。場合によっては、浄化されたろ過エレメントＥをリサイクル処理して再使用することができる。ろ過エレメントＥから分離し、浮遊させた放射性ダストを集塵装置６で回収するので、分離した放射性ダストが除染装置の周囲に拡散するのを防止でき、従って、ろ過エレメントＥを除染する際に、周囲の環境が放射性汚染物質で２次汚染されるのを防止できる。
【００２２】
軟質のエアチューブ２５で打撃体２０を構成し、エアチューブ２５がエアノズル２１を兼ねるようにすると、加圧空気を噴出するときの噴出反力によって、ランダムに暴れ動くエアチューブ２５の叩打作用と、エアチューブ２５から噴出される加圧空気による飛散作用とで、放射性ダストをろ過エレメントＥから分離し浮遊させることができる。従って、打撃体２０とノズル２１を個別に設ける場合に比べて、分離装置５の構造を簡素化して、除染装置の全体コストを低コスト化できる。また、ランダムに暴れ動くエアチューブ２５の叩打作用で、放射性ダストをろ過エレメントＥから分離するので、例えば、エアチューブ２５に相当する打撃具をモーターの動力で回転駆動して、ろ過エレメントＥの表面を叩打する場合に比べて、放射性ダストを効果的に分離できる。
【００２３】
送給通路２３の先端に複数の分岐パイプ２４を配置し、各分岐パイプ２４に複数のエアチューブ２５を設ける除染装置によれば、エアチューブ２５がろ過エレメントＥの表面を叩打する機会を大幅に増加できる。従って、ろ過エレメントＥに捕捉された放射性ダストをエアチューブ２５でさらに確実に分離して、ろ過エレメントＥの除染度合をさらに向上することができる。また、エアチューブ２５の叩打機会が増える分だけ、ろ過エレメントＥの浄化をより短い時間で行うことができる。
【００２４】
軟質のチューブ本体２６と、チューブ本体２６の先端に固定した叩打体２７とでエアチューブ２５を構成すると、エアチューブ２５が暴れ動くときのランダムな叩打作用に加えて、叩打体２７の叩打作用によっても、放射性ダストをろ過エレメントＥから分離できる。また、叩打体２７の重量の分だけ、叩打体２７が暴れ動くときの運動慣性力が大きくなるので、ろ過エレメントＥをより強い力で叩打して、ろ過エレメントＥの内部に捕捉された放射性ダストをより確実に分離することができる。
【００２５】
除染装置に吸着材供給装置７を付加し、吸着材を除染室１へ供給しながらろ過エレメントＥの除染を行うと、除染の過程でろ過エレメントＥから分離した放射性物質または放射性ダストを吸着材で吸着し保持できる。従って、分離した放射性物質または放射性ダストがろ過エレメントＥに再付着し、あるいは除染室１の内面壁などに付着するのを防止でき、ろ過エレメントＥから分離した放射性物質または放射性ダストを集塵装置６で効果的に回収することができる。
【００２６】
集塵装置６のブロワー３２の吸引作用で、除染室１の内部を常に負圧状態に保持した状態でろ過エレメントＥの除染を行うと、入口２および出口３に設けた遮蔽カーテン９の隙間から外部の空気が流入する状態で除染処理を行うことができる。また、エアチューブ２５で吹飛ばされた放射性ダストが、入口２および出口３の外へ飛出るのを遮蔽カーテン９で防止できる。従って、ろ過エレメントＥから分離された放射性物質または放射性ダストが除染室１の外へ漏出るのを確実に防止して、除染装置の周囲の環境を常に清浄な状態に保持でき、従って、除染装置によるろ過エレメントＥの除染を安全に行える。
【００２７】
本発明に係る除染方法においては、分離工程において、分離装置５でろ過エレメントＥに捕捉された放射性ダストを分離し浮遊させ、集塵工程において、集塵装置６で集塵しろ過することによりろ過エレメントＥを除染し浄化できるようにした。このように、各工程を経てろ過エレメントＥを除染すると、放射性ダストのみを最終処分すればよいので、射性ダストが捕捉されたろ過エレメントＥを最終処分する場合に比べて、処分対象を著しく減容化できる。また、ろ過エレメントＥから分離し、浮遊させた放射性ダストを集塵装置６で回収するので、分離した放射性ダストが除染装置の周囲に拡散するのを防止でき、従って、ろ過エレメントＥを除染する際に、周囲の環境が放射性汚染物質で２次汚染されるのを防止できる。
【００２８】
分離工程において、エアチューブ２５が加圧空気の噴出反力によってランダムに暴れ動くときの叩打作用と、エアチューブ２５から噴出される加圧空気の噴出作用で、放射性ダストをろ過エレメントＥから分離し浮遊させると、エアチューブ２５に加圧空気を供給するだけで、放射性ダストの分離を行える。従って、例えばエアチューブ２５に相当する打撃具をモーターの動力で回転駆動して放射性ダストを分離し、さらにエアノズル２１から加圧空気を噴出して放射性ダストを浮遊させる場合に比べて、分離装置５を駆動するためのエネルギー消費を削減し、除染装置の運転コストを削減できる。
【００２９】
分離工程において、チューブ本体２６および叩打体２７でろ過エレメントＥを叩打して放射性ダストを分離すると、エアチューブ２５が暴れ動くときのランダムな叩打作用と、叩打体２７の叩打作用とで、放射性ダストをろ過エレメントＥから分離できる。とくに、叩打体２７はその重量の分だけ、叩打体２７が暴れ動くときの運動慣性力が大きくなるので、ろ過エレメントＥをより強い力で叩打することができ、ろ過エレメントＥの内部にまで叩打衝撃を作用させて、エレメント内部に捕捉された放射性ダストをさらに確実に分離することができる。
【００３０】
分離工程において、吸着材供給装置７で吸着材を除染室１の内部へ供給しながらろ過エレメントＥの除染を行うと、除染の過程でろ過エレメントＥから分離した放射性物質または放射性ダストを吸着材で吸着し保持できる。従って、分離した放射性物質または放射性ダストがろ過エレメントＥに再付着し、あるいは除染室１の内面壁などに付着するのを防止でき、ろ過エレメントＥから分離した放射性物質または放射性ダストを集塵装置６で効果的に回収することができる。
【００３１】
除染室１の内部を負圧状態に保持した状態でろ過エレメントＥの除染を行うと、除染室１の入口２および出口３から外部の空気が流入する状態で除染処理を行うことができる。従って、ろ過エレメントＥから分離された放射性物質または放射性ダストが除染室１の外へ漏出るのを確実に防止して、除染装置の周囲の環境を常に清浄な状態に保持でき、従って、除染装置によるろ過エレメントＥの除染を安全に行える。
【図面の簡単な説明】
【００３２】
【図１】本発明に係る除染装置を概念的に示す概略正面図である。
【図２】本発明に係る打撃体を示す正面図である。
【図３】本発明に係る打撃体の配置例を示す平面図である。
【図４】本発明に係る集塵装置を概念的に示す説明図である。
【図５】本発明に係る吸着材供給装置の概略構造を示す概念図である。
【図６】本発明に係る吸着材分離装置の概略構造を示す概念図である。
【発明を実施するための形態】
【００３３】
（実施例）  図１ないし図６は、本発明に係る除染装置の実施例を示す。この実施例に係る除染装置は、例えば、放射性物質で汚染された地域のビル、工場、病院などに設置された空調機のエアフィルター（ろ過エレメント）Ｅを除染対象として除染処理を行なう。空調機のエアフィルターＥは空気中の浮遊ダストをろ過して捕捉しており、この浮遊ダストに放射性物質が付着して放射性ダストとなっている。
【００３４】
図１において除染装置は、エアフィルターＥを収容する除染室１を備えており、その入口２および出口３に臨んでエアフィルターＥを一方向へ搬送する搬送装置４が設けてある。また、除染室１の内部には、エアフィルターＥに捕捉された放射性ダストを分離し浮遊させる分離装置５が配置され、除染室１の外に除染室１内に浮遊する放射性ダストを集塵しろ過する集塵装置６が設けてある。符号７は、吸着材を除染室１の内部へ供給する吸着材供給装置である。図示していないが、除染装置の全体は、放射線の透過を遮断する遮蔽シールドの内部に配置して周囲の環境から隔離しておくことが好ましい。
【００３５】
除染室１は中空箱状に形成されて、その左右の対向壁の上下中途部に入口２および出口３が開口され、出口３側の壁の下方に集塵口８が開口してある。また、入口２および出口３には、エアフィルターＥから分離した放射性ダストの飛散を防ぐ遮蔽カーテン９が配置してある。遮蔽カーテン９は、帯状の軟質プラスチックシートの一群を、隣接部分が互いに内外に重なる状態で配置して構成してある。一群の軟質プラスチックシートは、その上端のみが固定支持してあって、エアフィルターＥの通過を許しながら、入口２および出口３を遮蔽できるように構成してある。
【００３６】
搬送装置４は、除染室１の左右両側に配置される搬入コンベア１１および排出コンベア１２と、除染室１の内部に配置される送給コンベア１３および搬送体１４と、エアフィルターＥの下面を支持するすのこ状の支持枠１８などで構成してある。搬入コンベア１１は入口２の外面側に配置してあり、エアフィルターＥを入口２を介して送給コンベア１３へ送給する。送給コンベア１３は、上下一対の搬送ベルト１５を、前後２個所に配置して構成してあり、エアフィルターＥの前後縁の上下面を、それぞれ上下一対の搬送ベルト１５で挟持した状態で、搬送体１４へ向かってエアフィルターＥを搬送する。搬送ベルト１５のベルト幅は小さいので、エアフィルターＥのろ過面の殆どを、前後の搬送ベルト１５の間に露出させることができる。搬送体１４は、回転駆動される軸体１６の周面に、弾性変形可能な一群の搬送チューブ１７を固定して構成してあり、一群の搬送チューブ１７でエアフィルターＥの表面を叩打しながら、エアフィルターＥを出口３を介して排出コンベア１２へ送給する。搬送装置４は、分離装置５による放射性ダストの分離に要する時間に対応して間欠的に駆動される。
【００３７】
分離装置５は、エアフィルターＥを叩打する打撃体２０と、加圧空気をエアフィルターＥへ向かって噴出するエアノズル２１と、加圧空気を分離装置５へ送給するコンプレッサー２２などで構成する。図２および図３に示すように打撃体２０は、加圧空気を送給する送給通路２３と、送給通路２３の先端に接続される複数の分岐パイプ２４・２４と、各分岐パイプ２４に接続されて加圧空気を噴出する複数個のエアチューブ２５とで構成してある。エアチューブ２５は、弾性変形可能な軟質プラスチック製のチューブ本体２６と、チューブ本体２６の先端に固定したリング状の叩打体２７とで構成してあり、エアチューブ２５自体がエアノズル２１を兼ねている。叩打体２７は、アルミニウム、ステンレス鋼材などの金属材で筒状に形成してある。
【００３８】
集塵装置６は、集塵口８から導出される集塵通路３０の中途部に配置されるフィルターユニット３１と、フィルターユニット３１の出口側に接続されるブロワー３２などで構成してある。図４に示すように、フィルターユニット３１は、バグフィルター３３と、バグフィルター３３の出口側に接続されるヘパフィルター３４とで構成してある。ヘパフィルター３４の内部には、プレフィルター３５と、プレフィルター３５よりろ過能力が高いメインフィルター３６とが配置してある。符号３７はバグフィルター３３の回収タンクである。
【００３９】
図５において、吸着材供給装置７は、吸着材を収容するタンク３９と、吸着材の供給状態を調整する電磁操作式の開閉弁４０と、開閉弁４０の下方に配置したインゼクター４１などで構成する。開閉弁４０を開放し、さらにインゼクター４１のノズル４２に加圧空気を送給することにより、吸着材を加圧空気とともに供給口４３へ送給して除染室１の内部に供給することができる。
【００４０】
吸着材は、プルシアンブルーのナノ粒子の分散液に、綿あるいはウールなどの短繊維を浸漬したのち乾燥したものであり、空気中に容易に浮遊させることができる。プルシアンブルーの代わりに、大日精化工業株式会社の無機顔料（商品名紺青）、あるいはゼオライトを使用して、その微粉末の分散液に、綿あるいはウールなどの短繊維を浸漬したのち乾燥して吸着材とすることができる。
【００４１】
除染装置を稼動する場合には、搬入コンベア１１を起動して、その上面に載置したエアフィルターＥを除染室１の内部に送込み、その上下面を一対の搬送ベルト１５で挟持した状態のままで、エアフィルターＥを出口３の側へゆっくりと搬送する。送給コンベア１３と搬送体１４が起動したのち、分離装置５と吸着材供給装置７を起動させて放射性ダストの分離を行う。さらに、集塵装置６を起動させて、除染室１の内部に浮遊する放射性ダストおよび吸着材を回収する。
【００４２】
除染室１の内部では、吸着材供給装置７から送給される吸着材をエアフィルターＥの下面に吹付けて除染室１内に浮遊させる。この状態で、エアチューブ２５に加圧空気を送給することにより、チューブ本体２６の先端からから加圧空気を噴出させて、浮遊している状態の吸着材を撹拌することができる。同時に、加圧空気を噴出するときの噴出反力によってチューブ本体２６がランダムに暴れ動くので、図６に示すようにチューブ本体２６、およびその先端に設けた叩打体２７がエアフィルターＥを叩打して、放射性ダストをエアフィルターＥからはたき落として分離できる。その間にも、エアフィルターＥはゆっくりと出口３の側へ搬送される。吸着材はエアフィルターＥに接触して放射性物質を吸着し、さらに除染室１内に浮遊する放射性ダストに接触して放射性物質を吸着する。
【００４３】
分離装置５によってエアフィルターＥから分離された放射性ダスト、および放射性物質を吸着した吸着材は、いずれも集塵装置６で集塵されてフィルターユニット３１へ送給される。このとき、集塵装置６を構成するブロワー３２が吸引する空気量は、分離装置５および吸着材供給装置７から噴出供給される空気量より充分に大きく設定してある。従って、分離装置５および集塵装置６が作動している状態の除染室１の内部の圧力は、常に負圧状態に保持されており、エアフィルターＥから分離された放射性ダストや吸着材が入口２あるいは出口３から漏洩することはない。
【００４４】
以上のように、分離装置５で除染処理されたエアフィルターＥは、搬送体１４を通過する間に、再び一群の搬送チューブ１７で上下両面が叩打されて、その表面に付着している放射性ダストおよび吸着材がはたき落とされたのち、出口３を介して排出コンベア１２へ送給される。さらに、排出コンベア１２で除染処理後のエアフィルターＥを収容するコンテナへと搬出される。エアフィルターＥが出口３の外へ送給された時点で、分離装置５および吸着材供給装置７は停止される。また、搬送装置４は、分離装置５による放射性ダストの分離に要する時間に対応して間欠的に駆動される。
【００４５】
集塵装置６で集塵されて、フィルターユニット３１に達した放射性ダストと吸着材は、まずバグフィルター３３でろ過されて、バグフィルター３３を通過する間に９５％以上がろ過されて、回収タンク３７に回収される。また、バグフィルター３３を通過した後の集塵空気に含まれる微細な浮遊塵は、プレフィルター３５でろ過され、さらにプレフィルター３５を通過したより小さな浮遊塵がメインフィルター３６でろ過される。従って、ヘパフィルター３４へ送られたろ過前の集塵空気は、プレフィルター３５とメインフィルター３６を通過する間に各フィルターエレメントに捕捉されて９９パーセント以上が回収される。バグフィルター３３の回収タンク３７に回収された放射性ダストおよび吸着材は、焼却処理して減容化する。同様に、バグフィルター３３のフィルターエレメント、および、プレフィルター３５、およびメインフィルター３６のフィルターエレメントは、焼却処理し、あるいは化学処理して減容化する。また、ブロワー３２から排出された空気は、吸着剤が分散された吸着液をくぐらせることにより、排出空気に含まれる微量の放射性物質を吸着して除去できる。
【００４６】
本発明に係る放射性ダストの除染方法は、以下の各工程を経ることにより放射性ダストを除染することができる。
放射性ダストの除染方法は、放射性ダストが付着しているろ過エレメントＥを除染室１内へ搬送する搬送工程と、除染室１の内部に配置した分離装置５で、ろ過エレメントＥに捕捉された放射性ダストを分離し浮遊させる分離工程と、除染室１内に浮遊する放射性ダストを集塵装置６で集塵しろ過する集塵工程とを含む。分離装置５は、ろ過エレメントＥを叩打する打撃体２０と、加圧空気をろ過エレメントへ向かって噴出するエアノズル２１を備えている。分離工程において、ろ過エレメントＥを打撃体２０で叩打して放射性ダストをろ過エレメントＥから分離し、分離した放射性ダストをエアノズル２１から噴出される加圧空気の噴出作用で浮遊させることを特徴とする。
【００４７】
打撃体２０は、加圧空気を送給する送給通路２３と、エアノズル２１を兼ねて送給通路２３に接続される弾性変形可能な軟質のエアチューブ２５とを含む。上記の除染方法の分離工程において、エアチューブ２５が加圧空気を噴出するときの噴出反力によってランダムに暴れ動くときの叩打作用と、エアチューブ２５から噴出される加圧空気の噴出作用で、放射性物質をろ過エレメントＥから分離し浮遊させるようにする。
【００４８】
エアチューブ２５は弾性変形可能な軟質のチューブ本体２６と、チューブ本体２６の先端に固定した叩打体２７とで構成する。上記の除染方法の分離工程において、チューブ本体２６および叩打体２７でろ過エレメントＥを叩打して放射性ダストを分離する。
【００４９】
上記の除染方法の分離工程において、吸着材供給装置７で吸着材を除染室１の内部へ供給し、除染室１の内部に浮遊する放射性ダストおよび吸着材を、エアチューブ２５から噴出される加圧空気の噴出作用で撹拌して、放射性物質を吸着材に吸着させる。さらに、集塵工程において、放射性ダストおよび吸着材を集塵装置６で回収してろ過エレメントＥの除染を行う。
【００５０】
上記の除染方法において、除染室１の内部を、集塵装置６を構成するブロワー３２の吸引作用で常に負圧状態に保持した状態でろ過エレメントＥの除染を行う。
【００５１】
上記の実施例では、エアフィルターＥの放射性ダストを捕捉した側のみをエアチューブ２５で叩打するようにしたが、エアフィルターＥの上下両面をエアチューブ２５で叩打することができる。また、エアフィルターＥは水平に搬送する必要はなく、垂直に搬送して、その前後面に配置したエアチューブ２５で同時に叩打する。除染室１の内部における送給コンベア１３の搬送長さが充分に大きく設定してある場合には、搬送装置４を連続して作動させて、エアフィルターＥが除染室１の内部を通過する間に除染を行うことができる。ろ過エレメントＥとしては、エアフィルター以外に、放射性物質を吸着した吸着材を液中でこし取ったのち乾燥させたろ過材、あるいは放射性物質と化学結合した結合材を液中でこし取ったのち乾燥させたろ過材などであってもよい。
【００５２】
エアフィルターＥの除染室１内への搬入および搬出は、工業用ロボットで行なうことができ、その場合には除染室１の出入口を密閉した状態で除染作業を行うことができる。打撃体２０は、モーターで回転駆動される駆動軸と、駆動軸の先端に固定した複数の鞭状体で構成することができる。その場合には、鞭状体の叩打作用と、除染室１の周囲壁に設けたエアノズル２１から噴出される圧縮空気の吹飛ばし作用とによって、ろ過エレメントＥに捕捉されている放射性ダストを分離し浮遊させることができる。
【符号の説明】
【００５３】
１  除染室
４  搬送装置
５  分離装置
６  集塵装置
２０  打撃体
２１  エアノズル
２５  エアチューブ
２６  チューブ本体
２７  叩打体
【図１】
2013171016.tif 000003
【図２】
2013171016.tif 000004
【図３】
2013171016.tif 000005
【図４】
2013171016.tif 000006
【図５】
2013171016.tif 000007
【図６】
2013171016.tif 000008